(57)【要約】      （修正有）【課題】照明範囲を拡大し、生産効率の高いＬＥＤ電球を提供する。【解決手段】このＬＥＤ電球１は、電球のベース３に取り付けられる導電部２１を一端に備え、該導電部と反対の一端に、複数の連結部を備えた連結部材が設けられたアダプタプラグ２と、一端に該連結部材に対応する連結部が設けられて、該アダプタプラグに結合可能であり、該連結部と反対の一端に凸座３２が設けられたベースとを備える。さらに、該凸座３２の表面に対応して設置され、並びに該アダプタプラグ２と電気的接続を形成する複数のＬＥＤモジュール４と、該ベースに対応し該ベースと結合されるランプカバー５と、を包含する。該ベースに増設した凸座３２を利用し、並びにＬＥＤモジュールを放熱テープにより該凸座に貼り付ける。以上の構造により、ＬＥＤ電球の組立速度がアップし、さらにＬＥＤ電球の照射角度も増加する。【選択図】図３
0003171093.tif 000002
【実用新案登録請求の範囲】
【請求項１】
ＬＥＤ電球において、
電球の結合部に取り付けられる導電部を一端に備え、該導電部と反対の一端に、複数の連結部を備えた連結部材が設けられたアダプタプラグと、
一端に該連結部材に対応する連結部が設けられて、該アダプタプラグに結合可能であり、該連結部と反対の一端に凸座が設けられたベースと、
該凸座の表面に対応して設置され、並びに該アダプタプラグと電気的接続を形成する複数のＬＥＤモジュールと、
該ベースに対応し該ベースと結合されるランプカバーと、
を包含することを特徴とする、ＬＥＤ電球。
【請求項２】
請求項１記載のＬＥＤ電球において、該ベースは放熱アルミニウムとされることを特徴とする、ＬＥＤ電球。
【請求項３】
請求項１記載のＬＥＤ電球において、該凸座は多角柱体或いは多角錐体とされることを特徴とする、ＬＥＤ電球。
【請求項４】
請求項１記載のＬＥＤ電球において、該凸座内部に内部空間が形成されることを特徴とする、ＬＥＤ電球。
【請求項５】
請求項１記載のＬＥＤ電球において、該凸座は該ベースと一体成形されたことを特徴とする、ＬＥＤ電球。
【請求項６】
請求項１記載のＬＥＤ電球において、該ＬＥＤモジュールは、放熱テープで該凸座の表面に貼り付けられることを特徴とする、ＬＥＤ電球。
【請求項７】
請求項４記載のＬＥＤ電球において、ドライバをさらに具え、該ドライバは該内部空間内に収容されると共に、これらＬＥＤモジュール及び該アダプタプラグと電気的接続を形成することを特徴とする、ＬＥＤ電球。
【考案の詳細な説明】
【技術分野】
【０００１】
本考案はＬＥＤ電球に係り、特に、ベースに増設した凸座を利用し、並びにＬＥＤモジュールを放熱テープにより該凸座に貼り付けることで、ＬＥＤ電球の組立速度をアップして生産率を上げ、さらにＬＥＤ電球の照射角度を増して、ＬＥＤ電球の照明範囲を拡大し、且つ凸座はベースと一体成形し、放熱効率も考慮したものに関する。
【背景技術】
【０００２】
ＬＥＤ技術は日々進歩し、ＬＥＤはＯＬＥＤ、ＰＬＥＤなどの異なる発光構造に分けられ、これによりＬＥＤがさらに多元的に且つ普遍的に照明と平面表示インタフェース等の用途に用いられるようになった。照明に用いられるＬＥＤランプの体積は小さく且つ消費ワット数は比較的低く、白熱電球及び省エネ電球に較べ、効率（ルーメン／ワット）はＬＥＤが最大である。たとえば、白熱電球の効率は約１５％であり、寿命は約１０００時間であり、省エネ電球の効率は約６５％で、寿命は約１００００時間、冷白色のＬＥＤの効率は約７５〜８０％で、寿命は約４００００時間である。すなわち、ＬＥＤは消費電力が最低で、且つ発光効率が最高であり、その使用寿命も比較的長く、最も環境保護の概念に符合し、これにより、ＬＥＤは懐中電灯及び照明器具に普遍的に用いられる。
【０００３】
図１を参照されたい。周知のＬＥＤ電球は、導電部１０１の一端に筐体２０１が設けられ、該筐体２０１は内部に空間２０１１を備え、さらに、複数のＬＥＤ発光素子が該筐体２０１内部空間２０１１に実装固定され、最後に、半円形ランプカバー３０１が該筐体２０１に勘合されて、ＬＥＤ電球が構成されている。
【０００４】
ＬＥＤの発する光は直射光に属し、その照射角度は約２０度であり、広角照明に用いる場合は、その照明効果は遥かに白熱電球及び省エネ電球に及ばない。たとえば、広角照明時に、１００ワット白熱電球は平均１３００ルーメンを達成可能で、２０ワットの省エネ電球は約１０００〜１２００ルーメンを達成できる。一方、８ワットのＬＥＤ電球は平均で５００〜６００ルーメンである、なぜならＬＥＤは放熱技術の克服に制限されるため、このため比較的高いワット数のＬＥＤの数量は希少で且つ価格は非常に高くなる。
【０００５】
また、もし周知の構造によるＬＥＤ電球を取り付けると、その照射範囲は図１のようになり、室内照明には不利となり、且つＬＥＤ発光素子を該内部空間２０１１中に実装すると、該筐体２０１がＬＥＤ発光素子の１／２近くの発光範囲を占拠し、このため照射角度が半円形ランプカバーに限られ、このためＬＥＤ電球の効率が大幅に下がり、発光範囲もまた白熱電球及び省エネ電球に及ばなくなる。
【０００６】
そしてそのために、一般消費者は室内照明効果が低いため、購入意欲をそがれる。このため室内照明に用いる場合、ＬＥＤ電球は白熱電球及び省エネ電球の代わりとなることは容易でなく、且つ環境保護型のＬＥＤ電球は販売促進が容易でない。
【０００７】
さらに、周知のＬＥＤ電球はそのベースとＬＥＤ発光素子が別々に製造された後に、さらに実装固定される方式で電球として組み立てられるが、このような組立方式は時間がかかり、ＬＥＤ電球の生産速度を低下させる。
【０００８】
総合すると、周知のＬＥＤ電球は以下のような克服すべき若干の問題を有している。
１．複数のＬＥＤ発光素子が該ベースの内部空間に実装固定され、発光範囲は僅かに半円形ランプカバーとなり、ＬＥＤ電球の照射角度が極度に狭い。
２．ベースとＬＥＤ発光素子は別々に製造された後に、実装固定の方式で電球として組み立てられる。この組立方式は時間がかかり、ＬＥＤ電球の生産速度を低下させる。
【０００９】
このことから、本考案者は周知のＬＥＤ電球の構造に対して研究と改良を行ない、上述の問題を改善することを目的とし、並びに長期の研究開発と不断の試験をへて、最終的に本考案を考案した。
【考案の概要】
【考案が解決しようとする課題】
【００１０】
本考案は一種のＬＥＤ電球を提供し、その目的は、周知のＬＥＤ電球の照明範囲が極度に狭く、組立速度と発光効率が低い問題を解決することにあり、凸座を増設し、並びにＬＥＤモジュールを放熱テープで該凸座に貼り付けることで、ＬＥＤ電球の組立速度をアップして生産率を上げ、さらにＬＥＤ電球の照射角度を増し、これによりＬＥＤ電球の照明範囲を拡大し、且つ凸座はベースと一体成形し、これにより該ＬＥＤ電球の放熱効率も考慮したものとする。
【課題を解決するための手段】
【００１１】
本考案のＬＥＤ電球は、電球の結合部に取り付けられる導電部を一端に備え、該導電部と反対の一端に、複数の連結部を備えた連結部材が設けられたアダプタプラグと、一端に該連結部材に対応する連結部が設けられて、該アダプタプラグに結合可能であり、該連結部と反対の一端に凸座が設けられたベースと、該凸座の表面に対応して設置され、並びに該アダプタプラグと電気的接続を形成する複数のＬＥＤモジュールと、該ベースに対応し該ベースと結合されるランプカバーとを包含する。
【００１２】
上述のＬＥＤ電球において、該ベースは放熱アルミニウムとされる。
【００１３】
上述のＬＥＤ電球において、該凸座は多角柱体或いは多角錐体とされ得る。
【００１４】
上述のＬＥＤ電球において、該凸座内部に内部空間が形成される。
【００１５】
上述のＬＥＤ電球において、該凸座と該ベースは一体成形される。
【００１６】
上述のＬＥＤ電球において、該ＬＥＤモジュールは、放熱テープで該凸座に貼り付けられる。
【００１７】
上述のＬＥＤ電球にさらに、ドライバが設けられ、該ドライバは該内部空間内に収容され、且つこれらＬＥＤモジュール及び該アダプタプラグと電気的接続を形成する。
【考案の効果】
【００１８】
上述の設置により、該ＬＥＤモジュールは放熱テープで該凸座に貼り付けられて、ＬＥＤ電球の組立速度をアップしてこれにより生産率をアップし、さらにＬＥＤの照射角度に凸座の立体形状に伴い変化を発生させ、これによりＬＥＤ電球の照明範囲を拡大し、且つ凸座とベースの一体成形の設計により、ＬＥＤ電球に照明範囲を拡大させると共に、放熱効率も配慮させている。
【図面の簡単な説明】
【００１９】
【図１】周知のＬＥＤ電球の側面図である。
【図２】本考案の第１実施例の立体分解図である。
【図３】本考案の第１実施例の組立表示図である。
【図４】本考案の第１実施例の断面図である。
【図５】本考案の第２実施例の立体分解図である。
【図６】本考案の第２実施例の断面図である。
【図７】本考案の第３実施例の表示図である。
【図８】本考案の第４実施例の表示図である。
【図９】本考案の第５実施例の表示図である。
【考案を実施するための形態】
【００２０】
本考案のＬＥＤ電球の技術内容、構造特徴、達成する目的を詳細に説明するため、以下に実施例を挙げ並びに図面を組み合わせて説明する。
【００２１】
本考案の第１実施例について、図２から図４を参照されたい。本考案は一種のＬＥＤ電球１であり、それは、以下のもの、すなわち、アダプタプラグ２であって、その一端が導電部２１とされて、各種の電球のソケット、或いは型番Ｅ１４、Ｅ２６或いはＥ２７のソケットに取り付け可能であり、該導電部２１と反対の一端に結合部２２が設けられ、該結合部２２に複数の連結部材２２１が設けられた、上記アダプタプラグ２と、ベース３であって、それは放熱アルミシートとされ、且つ一端に該連結部材２２１に対応する連結部３１が設けられ、本実施例では、該連結部材２２１は係止に供される片体とされ、該連結部３１は該片体に対応する凹溝とされ、これにより該ベース３が該アダプタプラグ２に結合可能とされ、該ベース３の、該連結部３１と反対の一端に、一体成形された凸座３２が設けられ、該凸座３２は、多角柱体或いは多角錐体とされ、図示される実施例では、四角形の柱体とされ、且つ該凸座３２内に内部空間３２１が設けられ、該内部空間３２１によりベース３の収容空間が増され、たとえば、もしＬＥＤ電球１内部に放熱装置（図示せず）を取り付ける必要がある場合、該放熱装置は該内部空間３２１内に設置可能である、上記ベース３と、複数のＬＥＤモジュール４であって、該ＬＥＤモジュール４は、放熱テープ４１により上述の凸座３２の表面に貼り付けられ、これにより組立をスピーディーとなし、上述のＬＥＤモジュール４は該アダプタプラグ２と電気的接続を形成し、ＬＥＤモジュール４の照射方向が凸座３２の立体形状により変化させられ、これによりＬＥＤモジュール４の全体照射角度が増される、上記複数のＬＥＤモジュール４と、ランプカバー５であって、上述のベース３に結合され、並びに上述の凸座３２とＬＥＤモジュール４を被覆する、上記ランプカバー５と、を包含する。
【００２２】
上述の設置により、ベース３は凸座３２と一体設計の設計とされたことで、ＬＥＤモジュール４は凸座３２の立体表面に対応する形状とされ、さらに放熱テープ４１により凸座３２に貼り付けられ、このような貼り付け方式は組立時間を減らし、生産速度をアップする。且つ凸座３２が図２から図４に示される四角柱体の形状とされて、その側面に斜面が形成される場合、ＬＥＤは直射光であるためその照明角度は約２０度であり、本実施例の設置を利用して正面照射する時、斜面によりＬＥＤモジュール４の正面方向の光に集光の効果が形成され、側面方向の光もまた広角照射を呈し、且つ該ベース３と一体成形された凸座３２は照明範囲を増加するほか、放熱効果も配慮され、さらにもし、ハイパワーのＬＥＤ電球１とされる場合に、放熱装置を増設する必要がある時、凸座３２内の内部空間３２１に取り付けることができ、こうして、放熱効果をアップでき、また、ＬＥＤ電球１の全体の外観をよくすることができる。
【００２３】
本考案の第２実施例について、図５及び図６を参照されたい。その第１実施例との違いは以下のとおりである。すなわち、第２実施例においては、連結部材２２１が螺旋部とされ、該連結部３１は該螺旋部に対応するネジ山とされ、これにより該ベース３が上述のアダプタプラグ２と相互に螺合可能とされ、且つ該内部空間３２１内にドライバ３２３が収容され、上述のＬＥＤモジュール４と該ドライバ３２３及びアダプタプラグ２が電気的接続を形成し、これにより、該ドライバ３２３が上述のＬＥＤモジュール４を駆動可能とされる。
以上により、本実施例の電球取付け方式は、まず、ＬＥＤモジュール４が放熱テープ４１により該凸座３２に貼り付けられ、並びにドライバ３２３が該内部空間３２１内に接地され、並びにベース３とアダプタプラグ２が相互に螺合され、さらに、ベース３とランプカバー５の結合部分に接着剤が塗布され、これによりベース３とランプカバー５が緊密に接合される。これにより、本実施例は比較的スピーディーな取付け方式とされ、取付け時間を短縮でき、ＬＥＤ電球１の生産速度をアップでき、また、ドライバのランプシートにおける設置空間を減らすことができる。
【００２４】
本考案の第３実施例について、図７を参照されたい。凸座３２が五角柱状体とされて該柱状体の側面にも斜面が形成される時、このような設置により、ＬＥＤモジュール４が上述の凸座３２に貼り付けられる時、照射角度はさらに広げられ、その光線はさらに均一とされ、室内照明に比較的適合する。
【００２５】
本考案の第４実施例について、図８を参照されたい。凸座３２は五角形のテーパ状体とされ、その端点に、凸座３２と一体成形された延長部３２２が設けられ得る。該延長部３２２は約１ｍｍ厚さのアルミ板とされ、それは遠視によると針状を呈し、並びに延長部３２２に複数のＬＥＤモジュール４が貼り付けられる。この設置方式は、照射角度を増すほか、発光の均一性をアップする。
【００２６】
本考案の第５実施例について、図９を参照されたい。ＬＥＤ電球１のワット数を高める必要がある時は、別に複数のＬＥＤモジュール４を該凸座３２の表面に貼り付ける。この設置はさらに照明効果をアップし、正面方向の光を多角度の集光によりさらに均一に且つ明るくし、側面方向の光に対しても、均一化と広角の効果を有する。
【００２７】
総合すると、本考案の達成する作用効果と長所は以下のとおりである。
１．凸座３２はベース３と一体成形され、ＬＥＤモジュール４は凸座３２の立体形状に伴い異なる照射方向を有し、これにより、ＬＥＤ電球１の照射角度が増され、これと共に、その放熱効果も配慮され、ＬＥＤ電球の発光範囲が伝統的な白熱電球に近いものとなる。
２．凸座３２の設置により、装置生産時に直接ＬＥＤモジュール４が放熱テープ４１で該凸座３２に貼り付けられ、これにより組立時間が短縮され、ＬＥＤ電球１の生産速度がアップする。
【００２８】
本考案の技術手段はそれ以前にみられず、且つ確実に予期された目的と作用効果を達成し、ゆえに新規性と進歩性を具備し、特許法に定められる実用新案登録の要件を具備し、全体構造においては、特許法の法定要件に符合し、ゆえに実用新案登録を出願するものである。
【００２９】
以上述べたことは、本考案の実施例にすぎず、本考案の実施の範囲を限定するものではなく、本考案の請求の範囲に基づきなし得る同等の変化と修飾は、いずれも本考案の権利のカバーする範囲内に属するものとする。
【符号の説明】
【００３０】
１０１  導電部          ２０１  筐体
２０１１  内部空間      ３０１  ランプカバー
１  ＬＥＤ電球          ２  アダプタプラグ
２１  導電部            ２２  結合部
２２１  連結部材        ３  ベース
３１  連結部            ３２  凸座
３２１  内部空間        ３２２  延長部
３２３  ドライバ        ４  ＬＥＤモジュール    
４１  放熱テープ        ５  ランプカバー
【図１】
0003171093.tif 000003
【図２】
0003171093.tif 000004
【図３】
0003171093.tif 000005
【図４】
0003171093.tif 000006
【図５】
0003171093.tif 000007
【図６】
0003171093.tif 000008
【図７】
0003171093.tif 000009
【図８】
0003171093.tif 000010
【図９】
0003171093.tif 000011